(57)【要約】【課題】セキュリティ性能とユーザの使い易さを共に向上することができる携帯電話装置及び携帯電話装置の機能制限解除方法を提供する。【解決手段】所定のロックナンバーの入力により所定機能の使用制限を可能とし又は使用制限を解除する携帯電話装置１０であって、複数のロックナンバーを記憶する記憶手段４０と、ロックナンバーの入力を要求する表示手段４２と、記憶手段４０に記憶されたロックナンバー以外のナンバーが所定回数以上入力された後、ロックナンバーが入力されると、所定機能の使用制限を解除せず、記憶手段４０に記憶された複数のロックナンバーの入力の要求を表示手段４２に表示するように表示手段４２を制御する制御手段３６と、を有する構成とした。【選択図】      図１
2006067104.tif 000002
【特許請求の範囲】
【請求項１】
所定のロックナンバーの入力により所定機能の使用制限を可能とし又は前記使用制限を解除する携帯電話装置であって、
複数のロックナンバーを記憶する記憶手段と、
前記ロックナンバーの入力を要求する表示手段と、
前記記憶手段に記憶されたロックナンバー以外のナンバーが所定回数以上入力された後、前記ロックナンバーが入力されると、前記所定機能の前記使用制限を解除せず、前記記憶手段に記憶された前記複数のロックナンバーの入力の要求を前記表示手段に表示するように前記表示手段を制御する制御手段と、
を有することを特徴とする携帯電話装置。
【請求項２】
所定のロックナンバーの入力により所定機能の使用制限を可能とし又は前記使用制限を解除する携帯電話装置であって、
複数のロックナンバーを記憶する記憶手段と、
前記ロックナンバーの入力を要求する表示手段と、
前記記憶手段に記憶された前記一のロックナンバー以外のナンバーが所定回数以上入力された後、前記一のロックナンバーが入力されると、前記所定機能の前記使用制限を解除せず、前記一のロックナンバー以外の記憶手段に記憶された他のロックナンバーの入力の要求を前記表示手段に表示するように前記表示手段を制御する制御手段と、
を有することを特徴とする携帯電話装置。
【請求項３】
所定のロックナンバーの入力により所定機能の使用制限を可能とし又は前記使用制限を解除する携帯電話装置であって、
複数のロックナンバーを記憶する記憶手段と、
前記ロックナンバーの入力を要求する表示手段と、
前記記憶手段に記憶されたロックナンバー以外のナンバーが所定回数以上入力された後前記ロックナンバーが入力される毎に、前記所定機能の前記使用制限を解除せず、異なる前記ロックナンバーの入力の要求を前記表示手段に表示するように前記表示手段を制御する制御手段と、
を有することを特徴とする携帯電話装置。
【請求項４】
所定のロックナンバーの入力により所定機能の使用制限を可能とし又は前記使用制限を解除する携帯電話装置の機能制限解除方法であって、
記憶手段に記憶されたロックナンバー以外のナンバーが所定回数以上入力された後、前記ロックナンバーが入力されると、前記所定機能の前記使用制限を制御手段により解除せず、前記記憶手段に記憶された前記複数のロックナンバーの入力の要求が表示手段に表示されるように前記制御手段により前記表示手段を制御する制御工程を備えたことを特徴とする携帯電話装置の機能制限解除方法。
【請求項５】
所定のロックナンバーの入力により所定機能の使用制限を可能とし又は前記使用制限を解除する携帯電話装置の機能制限解除方法であって、
記憶手段に記憶された一のロックナンバー以外のナンバーが所定回数以上入力された後、前記一のロックナンバーが入力されると、前記所定機能の前記使用制限を制御手段により解除せず、前記記憶手段に記憶された他のロックナンバーの入力の要求が表示手段に表示されるように前記制御手段により前記表示手段を制御する制御工程を備えたことを特徴とする携帯電話装置の機能制限解除方法。
【請求項６】
所定のロックナンバーの入力により所定機能の使用制限を可能とし又は前記使用制限を解除する携帯電話装置の機能制限解除方法であって、
記憶手段に記憶されたロックナンバー以外のナンバーが所定回数以上入力された後前記ロックナンバーが入力される毎に、前記所定機能の前記使用制限を制御手段により解除せず、異なる前記ロックナンバーの入力の要求が表示手段に表示されるように前記制御手段により前記表示手段を制御する制御工程を備えたことを特徴とする携帯電話装置の機能制限解除方法。
【発明の詳細な説明】
【技術分野】
【０００１】
本発明は、携帯電話装置及び携帯電話装置の機能制限解除方法に関する。
【背景技術】
【０００２】
従来から通話機能の他、電子メール送受信機能、インターネット接続機能、カメラ機能など、複数の機能を備えた携帯電話装置が知られている。特に、これら多機能を備えた携帯電話装置では、所定の機能のみの使用を制限できるようなロック機能を有するものが多い。すなわち、予め設定した所定のロックナンバーを入力することにより、予め設定した所定の機能（例えば、インターネット接続機能）のみの使用が不可能となり、再度、所定のロックナンバーを入力することにより、前記所定の機能（インターネット接続機能）の使用制限が解除され自由に使用することができるというものである。
【特許文献１】特開平９−２０５４７９号公報
【発明の開示】
【発明が解決しようとする課題】
【０００３】
ここで、上記携帯電話装置では、予め設定された所定のロックナンバーの入力によりロック機能が解除され所定の機能の使用できることになるが、複数のロックナンバーを入力することによりロック機能を解除させた方が携帯電話装置のセキュリティ性能を向上させる点で優れている。
【０００４】
ところが、複数のロックナンバーを入力してロック機能を解除させることにすると、ユーザはその都度複数のロックナンバーを入力しなければならなくなり、煩わしく、使い勝手が悪くなる問題がある。
【０００５】
そこで、本発明は、上記事情を考慮し、セキュリティ性能とユーザの使い易さを共に向上することができる携帯電話装置及び携帯電話装置の機能制限解除方法を提供することを目的とする。
【課題を解決するための手段】
【０００６】
請求項１に記載の発明は、所定のロックナンバーの入力により所定機能の使用制限を可能とし又は前記使用制限を解除する携帯電話装置であって、複数のロックナンバーを記憶する記憶手段と、前記ロックナンバーの入力を要求する表示手段と、前記記憶手段に記憶されたロックナンバー以外のナンバーが所定回数以上入力された後、前記ロックナンバーが入力されると、前記所定機能の前記使用制限を解除せず、前記記憶手段に記憶された前記複数のロックナンバーの入力の要求を前記表示手段に表示するように前記表示手段を制御する制御手段と、を有することを特徴とする。
【０００７】
請求項１に記載の発明によれば、記憶手段に記憶されたロックナンバー以外のナンバーが所定回数以上入力された後、記憶手段に記憶されたロックナンバーが入力されると、所定機能の使用制限が制御手段により解除されず、制御手段により表示手段が制御されて記憶手段に記憶された複数のロックナンバーの入力の要求が表示手段に表示される。
【０００８】
これにより、ユーザは、記憶手段に記憶されたロックナンバーを当然に知っているため、ロックナンバー以外のナンバーを所定回数以上入力することなく前記ロックナンバーを直ちに入力することができ、所定機能の使用制限を容易に解除することができる。
【０００９】
また、ユーザ以外の第三者は、記憶手段に記憶されたロックナンバーを知らないため、適当にナンバーを入力すると、当然に所定回数以上入力することになる。そして、第三者が、ロックナンバーとは別のナンバーを所定回数以上入力した後、偶然に記憶手段に記憶されたロックナンバーを入力した場合には、制御手段により直ちに所定の機能の使用制限が解除されず、複数のロックナンバーの入力が要求されるため、セキュリティ性能を向上させることができる。
【００１０】
この結果、本発明の携帯電話装置では、セキュリティ性能とユーザの使い易さを共に向上することができる。
【００１１】
請求項２に記載の発明は、所定のロックナンバーの入力により所定機能の使用制限を可能とし又は前記使用制限を解除する携帯電話装置であって、複数のロックナンバーを記憶する記憶手段と、前記ロックナンバーの入力を要求する表示手段と、前記記憶手段に記憶された前記一のロックナンバー以外のナンバーが所定回数以上入力された後、前記一のロックナンバーが入力されると、前記所定機能の前記使用制限を解除せず、前記一のロックナンバー以外の記憶手段に記憶された他のロックナンバーの入力の要求を前記表示手段に表示するように前記表示手段を制御する制御手段と、を有することを特徴とする。
【００１２】
請求項２に記載の発明によれば、記憶手段に記憶された一のロックナンバー以外のナンバーが所定回数以上入力された後、一のロックナンバーが入力されると、所定機能の使用制限が制御手段により解除されず、制御手段により表示手段が制御されて一のロックナンバー以外の記憶手段に記憶された他のロックナンバーの入力の要求が表示手段に表示される。
【００１３】
これにより、ユーザは、記憶手段に記憶された一のロックナンバーを当然に知っているため、一のロックナンバー以外のナンバーを所定回数以上入力することなく一のロックナンバーを直ちに入力することができ、所定機能の使用制限を容易に解除することができる。
【００１４】
また、ユーザ以外の第三者は、記憶手段に記憶された一のロックナンバーを知らないため、適当にナンバーを入力すると、当然に所定回数以上入力することになる。そして、第三者が、一のロックナンバーとは別のナンバーを所定回数以上入力した後、偶然に記憶手段に記憶された一のロックナンバーを入力した場合には、制御手段により直ちに所定の機能の使用制限が解除されず、他のロックナンバーの入力が要求されるため、セキュリティ性能を向上させることができる。
【００１５】
この結果、本発明の携帯電話装置によれば、セキュリティ性能とユーザの使い易さを共に向上することができる。
【００１６】
請求項３に記載の発明は、所定のロックナンバーの入力により所定機能の使用制限を可能とし又は前記使用制限を解除する携帯電話装置であって、複数のロックナンバーを記憶する記憶手段と、前記ロックナンバーの入力を要求する表示手段と、前記記憶手段に記憶されたロックナンバー以外のナンバーが所定回数以上入力された後前記ロックナンバーが入力される毎に、前記所定機能の前記使用制限を解除せず、異なる前記ロックナンバーの入力の要求を前記表示手段に表示するように前記表示手段を制御する制御手段と、を有することを特徴とする。
【００１７】
請求項３に記載の発明によれば、記憶手段に記憶されたロックナンバー以外のナンバーが所定回数以上入力された後記憶手段に記憶されたロックナンバーが入力される毎に、所定機能の使用制限が制御手段により解除されず、制御手段により表示手段が制御されて異なるロックナンバーの入力の要求が表示手段に表示される。
【００１８】
これにより、ユーザは、記憶手段に記憶されたロックナンバーを当然に知っているため、ロックナンバー以外のナンバーを入力手段により所定回数以上入力することなくロックナンバーを直ちに入力することができ、所定機能の使用制限を容易に解除することができる。
【００１９】
また、ユーザ以外の第三者は、記憶手段に記憶されたロックナンバーを知らないため、適当にナンバーを入力すると、当然に所定回数以上入力することになる。そして、第三者が、記憶手段に記憶されたロックナンバーとは別のナンバーを所定回数以上入力した後、偶然に記憶手段に記憶されたロックナンバーを入力した場合には、制御手段により直ちに所定の機能の使用制限が解除されず、異なる別のロックナンバーの入力が要求されるため、セキュリティ性能を向上させることができる。
【００２０】
この結果、本発明の携帯電話装置によれば、セキュリティ性能とユーザの使い易さを共に向上することができる。
【００２１】
請求項４に記載の発明は、所定のロックナンバーの入力により所定機能の使用制限を可能とし又は前記使用制限を解除する携帯電話装置の機能制限解除方法であって、記憶手段に記憶されたロックナンバー以外のナンバーが所定回数以上入力された後、前記ロックナンバーが入力されると、前記所定機能の前記使用制限を制御手段により解除せず、前記記憶手段に記憶された前記複数のロックナンバーの入力の要求が表示手段に表示されるように前記制御手段により前記表示手段を制御する制御工程を備えたことを特徴とする。
【００２２】
請求項４に記載の発明によれば、記憶手段に記憶されたロックナンバー以外のナンバーが所定回数以上入力された後、前記ロックナンバーが入力されると、制御工程において、所定機能の使用制限が制御手段により解除されず、制御手段により表示手段が制御されて記憶手段に記憶された複数のロックナンバーの入力の要求が表示手段に表示される。
【００２３】
これにより、ユーザは、記憶手段に記憶されたロックナンバーを当然に知っているため、ロックナンバー以外のナンバーを所定回数以上入力することなく前記ロックナンバーを直ちに入力することができ、所定機能の使用制限を容易に解除することができる。
【００２４】
また、ユーザ以外の第三者は、記憶手段に記憶されたロックナンバーを知らないため、適当にナンバーを入力すると、当然に所定回数以上入力することになる。そして、第三者が、ロックナンバーとは別のナンバーを所定回数以上入力した後、偶然に記憶手段に記憶されたロックナンバーを入力した場合には、制御手段により直ちに所定の機能の使用制限が解除されず、複数のロックナンバーの入力が要求されるため、セキュリティ性能を向上させることができる。
【００２５】
この結果、本発明の携帯電話装置では、セキュリティ性能とユーザの使い易さを共に向上することができる。
【００２６】
請求項５に記載の発明は、所定のロックナンバーの入力により所定機能の使用制限を可能とし又は前記使用制限を解除する携帯電話装置の機能制限解除方法であって、記憶手段に記憶された一のロックナンバー以外のナンバーが所定回数以上入力された後、前記一のロックナンバーが入力されると、前記所定機能の前記使用制限を制御手段により解除せず、前記記憶手段に記憶された他のロックナンバーの入力の要求が表示手段に表示されるように前記制御手段により前記表示手段を制御する制御工程を備えたことを特徴とする。
【００２７】
請求項５に記載の発明によれば、記憶手段に記憶された一のロックナンバー以外のナンバーが所定回数以上入力された後、前記一のロックナンバーが入力されると、制御工程において、所定機能の使用制限が制御手段により解除されず、制御手段により表示手段が制御されて記憶手段に記憶された他のロックナンバーの入力の要求が表示手段に表示される。
【００２８】
これにより、ユーザは、記憶手段に記憶された一のロックナンバーを当然に知っているため、一のロックナンバー以外のナンバーを所定回数以上入力することなく一のロックナンバーを直ちに入力することができ、所定機能の使用制限を容易に解除することができる。
【００２９】
また、ユーザ以外の第三者は、記憶手段に記憶された一のロックナンバーを知らないため、適当にナンバーを入力すると、当然に所定回数以上入力することになる。そして、第三者が、一のロックナンバーとは別のナンバーを所定回数以上入力した後、偶然に記憶手段に記憶された一のロックナンバーを入力した場合には、制御手段により直ちに所定の機能の使用制限が解除されず、他のロックナンバーの入力が要求されるため、セキュリティ性能を向上させることができる。
【００３０】
この結果、本発明の携帯電話装置によれば、セキュリティ性能とユーザの使い易さを共に向上することができる。
【００３１】
請求項６に記載の発明は、所定のロックナンバーの入力により所定機能の使用制限を可能とし又は前記使用制限を解除する携帯電話装置の機能制限解除方法であって、記憶手段に記憶されたロックナンバー以外のナンバーが所定回数以上入力された後前記ロックナンバーが入力される毎に、前記所定機能の前記使用制限を制御手段により解除せず、異なる前記ロックナンバーの入力の要求が表示手段に表示されるように前記制御手段により前記表示手段を制御する制御工程を備えたことを特徴とする。
【００３２】
請求項６に記載の発明によれば、記憶手段に記憶されたロックナンバー以外のナンバーが所定回数以上入力された後ロックナンバーが入力される毎に、制御工程において、所定機能の使用制限が制御手段により解除されず、制御手段により表示手段が制御されて異なるロックナンバーの入力の要求が表示手段に表示される。
【００３３】
これにより、ユーザは、記憶手段に記憶されたロックナンバーを当然に知っているため、ロックナンバー以外のナンバーを入力手段により所定回数以上入力することなくロックナンバーを直ちに入力することができ、所定機能の使用制限を容易に解除することができる。
【００３４】
また、ユーザ以外の第三者は、記憶手段に記憶されたロックナンバーを知らないため、適当にナンバーを入力すると、当然に所定回数以上入力することになる。そして、第三者が、記憶手段に記憶されたロックナンバーとは別のナンバーを所定回数以上入力した後、偶然に記憶手段に記憶されたロックナンバーを入力した場合には、制御手段により直ちに所定の機能の使用制限が解除されず、異なる別のロックナンバーの入力が要求されるため、セキュリティ性能を向上させることができる。
【００３５】
この結果、本発明の携帯電話装置によれば、セキュリティ性能とユーザの使い易さを共に向上することができる。
【発明の効果】
【００３６】
本発明によれば、セキュリティ性能とユーザの使い易さを共に向上することができる。
【発明を実施するための最良の形態】
【００３７】
次に、本発明の一実施形態に係る携帯電話装置について、図面を参照して説明する。
【００３８】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００３９】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００４０】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００４１】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００４２】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００４３】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００４４】
また、通信部１２、ベースバンド部１４及び切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。また、制御回路３６は、ＲＡＭ４０に記憶された所定のロックナンバーがテンキー４８により入力されると、所定の機能（例えば、通話機能、インターネット接続機能、メール送受信機能、カメラ機能の他、通話時間、インターネット接続時間、メール送信回数なども含まれる）の使用を制限し、あるいはその使用制限を解除する。例えば、制御回路３６により、通話機能、インターネット接続機能、メール送受信機能、カメラ機能のいずれかの機能の使用が不可能にされたり、あるいは、通話時間、インターネット接続時間、メール送信回数などが制限されたりし、あるいは、上記各機能の使用制限が解除されたりする。さらに、制御回路３６は、テンキー４８により入力されたナンバーの入力回数をカウントする。
【００４５】
また、ＲＡＭ４０には、携帯電話装置１０の所定の機能（通話機能、インターネット接続機能、メール送受信機能、カメラ機能の他、通話時間、インターネット接続時間、メール送信回数なども含まれる）の少なくとも一部の使用を制限しあるいはその使用制限を解除するための複数のロックナンバーが記憶されている。具体的には、本実施形態では、２種類のロックナンバーである第１ロックナンバー及び第２ロックナンバーがそれぞれ記憶されている。また、ＲＡＭ４０には、制御回路３６によりカウントされた入力回数が逐次記憶されていく。
【００４６】
また、制御回路３６には、液晶のディスプレイ４２が接続されている。このディスプレイ４２には、現在の時刻、電話番号、電子メールのタイトル文字及びメール本文等の所定の情報が表示される。
【００４７】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００４８】
また、制御回路３６には、所定の色のＬＥＤ素子を備えた照明部４６が接続されている。照明部４６のＬＥＤ素子の発光により、ディスプレイ４２に表示された文字などが所定の色に施される。
【００４９】
なお、本実施形態の携帯電話装置１０では、通話機能の他、メールの送受信を行うメール送受信機能、インターネットに接続するインターネット接続機能、図示しない撮像手段（例えば、ＣＣＤなど）により撮像するカメラ機能を有するものである。
【００５０】
次に、本実施形態に係る携帯電話装置１０を用いた機能制限解除方法について、図２に示すフローチャートに基づいて説明する。
【００５１】
なお、予め第１ロックナンバーが入力され、制御回路３６により所定の機能が制限された状態を前提として説明する。
【００５２】
図２に示すように、ディスプレイ４２に第１ロックナンバーの入力の要求が表示される（Ｓ１００）。
【００５３】
次に、所定のナンバーが入力されたか否かが制御回路３６により判断される（Ｓ１２０）。所定のナンバーが入力されたと制御回路３６により判断されると、そのナンバーがＲＡＭ４０に記憶された第１ロックナンバーと一致する否かが制御回路３６により判断される（Ｓ１４０）。入力されたナンバーが第１ロックナンバーと一致すると制御回路３６により判断されると、上述したように、所定の機能（通話機能、インターネット接続機能、メール送受信機能、カメラ機能の他、通話時間、インターネット接続時間、メール送信回数なども含まれる）の使用制限が解除される（Ｓ１６０）。
【００５４】
一方、入力されたナンバーが第１ロックナンバーと一致しないと制御回路３６により判断されると、制御回路３６により入力回数がカウントされる（Ｓ１８０）。
【００５５】
次に、カウントされた入力回数がＮ回（Ｎは整数、例えば３回）以上か否かが制御回路３６により判断される（Ｓ２００）。この結果、カウントされた入力回数がＮ回未満であると判断されると、ステップＳ１００の前の状態に戻る。
【００５６】
一方、カウントされた入力回数がＮ回以上であると制御回路３６により判断されると、入力されたナンバーが第１ロックナンバーと一致するか否かが制御回路３６により判断される（Ｓ２１０）。この結果、入力されたナンバーが第１ロックナンバーと一致すると制御回路３６により判断されると、所定の機能の使用制限が解除されることなく、制御回路３６により制御されたディスプレイ４２に第２ロックナンバーの入力の要求が表示される（Ｓ２２０）。なお、入力されたナンバーが第１ロックナンバーと一致しないと制御回路３６により判断されると、Ｓ２１０の前の状態に戻る。
【００５７】
次に、所定のナンバーが入力されたか否かが制御回路３６により判断される（Ｓ２４０）。所定のナンバーが入力されたと制御回路３６により判断されると、そのナンバーがＲＡＭ４０に記憶された第２ロックナンバーと一致する否かが制御回路３６により判断される（Ｓ２６０）。入力されたナンバーが第２ロックナンバーと一致すると制御回路３６により判断されると、上述したように、所定の機能（通話機能、インターネット接続機能、メール送受信機能、カメラ機能の他、通話時間、インターネット接続時間、メール送信回数などの使用制限も含まれる）の使用制限が解除される（Ｓ２８０）。なお、所定の機能の使用制限が解除された後、Ｓ１００の前の状態に戻る。
【００５８】
一方、入力されたナンバーが第２ロックナンバーと一致しないと制御回路３６により判断されると、制御回路３６により入力回数がカウントされる（Ｓ３００）。
【００５９】
次に、カウントされた入力回数がＮ回以上か否かが制御回路３６により判断される（Ｓ３２０）。この結果、カウントされた入力回数がＮ回未満であると制御回路３６により判断されると、ステップＳ２２０の前の状態に戻る。
【００６０】
一方、カウントされた入力回数がＮ回以上であると制御回路３６により判断されると、入力されたナンバーが第２ロックナンバーと一致するか否かが制御回路３６により判断される（Ｓ３３０）。この結果、入力されたナンバーが第２ロックナンバーと一致すると制御回路３６により判断されると、ディスプレイ４２に使用できない旨が表示される（Ｓ３４０）。なお、入力されたナンバーが第２ロックナンバーと一致しないと制御回路３６により判断されると、Ｓ３３０の前の状態に戻る。
【００６１】
尚、使用できない旨の表示後に所定の第３のナンバーが入力されると、ロックが解除される構成としても良い。又、所定回数の入力が失敗したら次のナンバー入力要求を表示しても良い。
【００６２】
以上のように、本実施形態によれば、ユーザはＲＡＭ４０に記憶された第１ロックナンバーを知っているため、当然に第１ロックナンバー以外のナンバーをテンキー４８により所定回数以上入力することなく第１ロックナンバーを直ちに入力することができるため、所定機能の使用制限を容易に解除することができる。特に、第１ロックナンバーの桁数を短くすることにより使い易さを向上させることができる。
【００６３】
また、ユーザ以外の第三者は、ＲＡＭ４０に記憶された第１ロックナンバーを知らないため、適当にナンバーを入力すると、当然に所定回数以上入力することになる。そして、第三者が、所定回数以上、第１ロックナンバーとは別のナンバーを入力した後、偶然にＲＡＭ４０に記憶された第１ロックナンバーを入力した場合には、制御回路３６により直ちに所定の機能の使用制限が解除されず、第２ロックナンバーの入力が要求されるため、セキュリティ性能を確保することができる。
【００６４】
この結果、本実施形態の携帯電話装置１０及び携帯電話装置１０を用いた機能制限解除方法では、セキュリティ性能とユーザの使い易さを共に向上することができる。
【００６５】
なお、本実施形態の携帯電話装置１０を用いた機能制限解除方法では、第２ロックナンバーまでがディスプレイ４２に入力要求される構成を示したが、これに限られるものではなく、例えば、第２ロックナンバーの入力要求に対して第２ロックナンバー以外のナンバーの入力回数がＮ回以上であると制御回路３６により判断され、その後、偶然に第２ロックナンバーが入力された場合でも、さらに第３ロックナンバーの入力要求をディスプレイ４２に表示してもよい。このように、所定のロックナンバーの入力をＮ回以上失敗した場合には、その後にＲＡＭ４０に記憶されたロックナンバーを偶然に入力したとしても、予めＲＡＭ４０に記憶されたロックナンバーを次々に入力要求していくことにより、携帯電話装置１０のセキュリティ性能を格段に向上させることができる。
【００６６】
また、本実施形態の携帯電話装置１０を用いた機能制限解除方法では、第１ロックナンバーの入力要求の後、第１ロックナンバーの入力をＮ回以上失敗し、その後、第１ロックナンバーを偶然に入力すると、所定の機能の使用制限が直ちに解除されず、第２ロックナンバーの入力要求を行う構成について説明したが、これに限られることはなく、例えば、第１ロックナンバーの入力要求の後、第１ロックナンバーの入力をＮ回以上失敗し、その後、第１ロックナンバーを偶然に入力すると、予めＲＡＭ４０に記憶された複数のロックナンバー（例えば、第２ロックナンバー、第３ロックナンバー）を同時に入力要求するような構成にしてもよい。
【図面の簡単な説明】
【００６７】
【図１】本発明の一実施形態に係る携帯電話装置のブロック図である。
【図２】本発明の一実施形態に係る携帯電話装置の作用を示すフローチャートである。
【符号の説明】
【００６８】
１０      携帯電話装置
３６      制御回路（制御手段）
４０      ＲＡＭ（記憶手段）
４２      ディスプレイ（表示手段）
４４      入力部（入力手段）
【図１】
2006067104.tif 000003
【図２】
2006067104.tif 000004